(57)【要約】      （修正有）【課題】限られた省空間でも、圧迫感がなく、周りに気を使うことなく、勉強に集中出来、且つ、教師が複数人の生徒に対して個別指導が迅速に対応出来る複数人対応型個別指導用学習机を提供する。【解決手段】２人が座れる程度の複数の長尺机１と、該長尺机に設置された複数の仕切り板２から成り、且つ、長尺机１及び仕切り板２を設置する時は、学習する生徒の人数に合わせて、長尺机の使用数を適宜調整し、且つ、長尺机の配置は教師が常に生徒の視界内にあって、迅速に個別指導及び情報伝達が可能な方向とし、且つ、仕切り板２の設置方向は、長尺机１の長手方向に対して垂直方向にそれぞれ設置する。【選択図】図１
0003155539.tif 000002
【実用新案登録請求の範囲】
【請求項１】
１人対１人、又は、１人対６人程度までの複数人の生徒に対して常時個別指導が可能な学習机であって、該学習机は２人が座れる程度の複数の長尺学習机（１）と、該長尺学習机（１）上の長手方向に等間隔に設置された複数の仕切り板（２）から成り、且つ、長尺学習机（１）及び仕切り板（２）を設置する時は、学習する生徒（ＳＴ）の人数に合わせて、長尺学習机（１）の使用数を適宜調整し、且つ、長尺学習机（１）の配置方向は教師（ＴＥ）が常に生徒（ＳＴ）の視界内にあって、迅速に個別指導及び情報伝達が可能な方向とし、且つ、仕切り板（２）の設置場所は、各生徒が、両隣の生徒の存在が気にならないようにする為、長尺学習机（１）の長手方向に対して垂直方向にそれぞれ設置した事を特徴とする複数人対応型個別指導用学習机。
【請求項２】
長尺学習机（１）の配置方向をコの字形状に配置して、教師（ＴＥ）と各生徒（ＳＴ）がそれぞれ対向するよう、生徒（ＳＴ）は長尺学習机（１）の外周位置に着席し、且つ、教師（ＴＥ）は包囲した長尺学習机と長尺学習机の挟間（ＳＰ）に位置する事で、常時、教師（ＴＥ）が複数人の生徒（ＳＴ）に対して、個人指導が出来る態勢を確保する事を特徴とする請求項１記載の複数人対応型個別指導用学習机。
【請求項３】
学習机は一人一人が個別に座れる単独学習机（１'）とし、且つ、該学習机（１'）の左右両端に仕切り板（２）をそれぞれ設置した事を特徴とする請求項１又は請求項２記載の複数人対応型個別指導用学習机。
【考案の詳細な説明】
【技術分野】
【０００１】
この考案は、複数人対応型個別指導用学習机に関するものである。
【背景技術】
【０００２】
従来、３人以上の生徒に対して個別に指導する場合、教師が常に横又は側近についている状況を作ることは困難であった。
【０００３】
又、前方及び左右の視界を遮ることを目的にした個別指導用ブースは、構造上、広く場所を取らざるを得ない。又、視界を遮ることによる生徒に与える圧迫感が問題であった。
【０００４】
そこで、上記の問題を解決するべく、一人の教師が複数人（６人程度迄）の生徒を個別指導可能な、個別指導用学習机の早期開発・提供が望まれている。
【０００５】
これまでに出願されている個別指導用学習机に関する特許文献を参考の為、紹介する（特許文献１〜２参照）。
【先行技術文献】
【特許文献】
【０００６】
【特許文献１】特開２００６−０５５４６８
【特許文献２】特開２００８−１４２５０７
【考案の概要】
【考案が解決しようとする課題】
【０００７】
そこで、上記課題を解決する為に、この考案は限られた省空間でも、圧迫感がなく、周りに気を使うことなく、勉強に集中出来、且つ、教師が複数人の生徒に対して個別指導が迅速に対応出来る複数人対応型個別指導用学習机を開発・提供する事にある。
【課題を解決するための手段】
【０００８】
この課題を解決するための手段として、２人が座れる程度の複数の長尺机と、該長尺机に設置された複数の仕切り板から成り、且つ、長尺机及び仕切り板を設置する時は、学習する生徒の人数に合わせて、長尺机の使用数を適宜調整し、且つ、長尺机の配置は教師が常に生徒の視界内にあって、迅速に個別指導及び情報伝達が可能な方向とし、且つ、仕切り板の設置方向は、長尺机の長手方向に対して垂直方向に設置したものである。
【０００９】
又、長尺学習机の配置方向をコの字形状に配置して、教師と各生徒がそれぞれ対向するよう生徒は長尺学習机の外周位置に着席し、且つ、教師は包囲した長尺学習机と長尺学習机の挟間に位置する事で、常時、教師が複数人の生徒に対して、個人指導が出来る態勢を確保するものである。
【考案の効果】
【００１０】
この考案の効果として、２人が座れる程度の複数の長尺机と、該長尺机に設置された複数の仕切り板から成り、且つ、長尺机及び仕切り板を設置する時は、学習する生徒の人数に合わせて、長尺机の使用数を適宜調整し、且つ、長尺机の配置は教師が常に生徒の視界内にあって、迅速に個別指導及び情報伝達が可能な方向とし、且つ、仕切り板の設置方向は、長尺机の長手方向に対して垂直方向に設置したものである。又、長尺学習机の配置方向をコの字形状に配置して、教師と各生徒がそれぞれ対向するよう、生徒は長尺学習机の外周位置に着席し、且つ、教師は包囲した長尺学習机と長尺学習机の挟間に位置する事で、常時、教師が複数人の生徒に対して、個人指導が出来る態勢を確保するで、常時、教師が複数人の生徒に対して、個人指導が出来る態勢を確保することで、省空間でも、圧迫感がなく、周りに気を使うことなく、勉強に集中出来、且つ、教師が複数の生徒に対して個別指導が迅速に対応出来、又、限られた狭い場所でも学習出来、且つ、教師が常時、複数人の生徒に対して、個人指導が出来る等、極めて有益なる効果を奏するものである。
【図面の簡単な説明】
【００１１】
【図１】この考案の一実施例を示し、コの字形状に配置時の長尺学習机の斜視図である。
【図２】この考案の使用例を示し、生徒と教師の配置及び教師と生徒間の視界性を示す平面図である。
【図３】この考案の使用例を示し、各生徒の死角範囲を示す平面図である。
【図４】この考案のその他の実施例を示し、単独学習机使用時の生徒と教師の配置及び教師と生徒間の視界性を示す平面図である。
【考案を実施するための形態】
【００１２】
この考案を実施するための形態として、１人対１人、又は、１人対６人程度までの複数人の生徒に対して常時個別指導が可能な学習机であって、該学習机は２人が座れる程度の複数の長尺学習机（１）と、該長尺学習机（１）上の長手方向に等間隔に設置された複数の仕切り板（２）から成り、且つ、長尺学習机（１）及び仕切り板（２）を設置する時は、学習する生徒（ＳＴ）の人数に合わせて、長尺学習机（１）の使用数を適宜調整し、且つ、長尺学習机（１）の配置方向は教師（ＴＥ）が常に生徒（ＳＴ）の視界内にあって、迅速に個別指導及び情報伝達が可能な方向とし、且つ、仕切り板（２）の設置場所は、各生徒が両隣の生徒の存在が気にならないようにする為、長尺学習机（１）の長手方向に対して垂直方向にそれぞれ設置した事を特徴とする複数人対応型個別指導用学習机から構成される。
【００１３】
又、長尺学習机（１）の配置方向をコの字形状に配置して、教師（ＴＥ）と各生徒（ＳＴ）がそれぞれ対向するよう、生徒（ＳＴ）は長尺学習机（１）の外周位置に着席し、且つ、教師（ＴＥ）は包囲した長尺学習机と長尺学習机の挟間（ＳＰ）に位置する事で、常時、教師（ＴＥ）が複数人の生徒（ＳＴ）に対して、個人指導が出来る態勢を確保する事を特徴とする複数人対応型個別指導用学習机から構成される。
【実施例１】
【００１４】
そこで、この考案の一実施例を図１に基づいて詳述すると、長尺学習机（１）の大きさは２人程度が学習出来る市販のスチール製、又は、木製の折り畳み式長脚トレニア（横幅：約４５０ｍｍ×長さ：約１８００ｍｍ×高さ：約７５０ｍｍ）を使用するか、或いは、手作り製の長机の何れを使用しても構わない。
【００１５】
次に、長尺学習机（１）と仕切り板（２）の設置方法について説明すると、上記の長尺学習机（１）を図２に示す様に、コの字形状に並べ、そして、長机学習机（１）の左右及び中間部には、一つの長机学習机（１）に座る生徒（ＳＴ）の人数を２人にする場合、仕切り板（２）の使用枚数を、長机学習机（１）の長手方向に対して、垂直方向に、左・中・右の３箇所が均等に成る様にバランス良く設置する。
【００１６】
そして、コの字形状に包囲して並設した長尺学習机（１）の中間入口付近に教師（ＴＥ）が立った時、教師（ＴＥ）の視線（ＥＬ）が各生徒（ＳＴ）の姿が確認出来るか確認し、見え難い場合は、それぞれの長尺学習机（１）を左右・上下に移動調整して見え易い場所を確保する。
【００１７】
そして、図３に示す様に各生徒（ＳＴ）が座席に着席した時、左右に設置したそれぞれの仕切り板（２）（２）によって死角（ＢＣ）（ＢＣ）を作り、隣の席の人が見え難い状況にあるか否かを見ながら、再度、机の位置の微調整を行いながら、見え難い位置を確保する。この時、対向する座席（長尺学習机）と座席（長尺学習机）間の距離が接近しすぎると、対向する相手の生徒が気になる為、適度な距離を確保する。
【実施例２】
【００１８】
その他の実施例として、１人対１人、又は、１人対６人程度までの複数人の生徒に対して常時個別指導が可能な学習机であって、該学習机は一人一人が個別に座れる単独学習机（１'）と、該単独学習机（１'）上の左右両端部に設けた仕切り板（２）（２）から成り、且つ、単独学習机（１'）及び仕切り板（２）（２）を設置する時は、学習する生徒（ＳＴ）の人数に合わせて、単独学習机（１'）の使用数を適宜調整し、且つ、単独学習机（１'）の配置方向は教師（ＴＥ）が常に生徒（ＳＴ）の視界内にあって、迅速に個別指導及び情報伝達が可能な方向とし、且つ、仕切り板（２）の設置場所は、各生徒が両隣の生徒の存在が気にならないようにする為、単独学習机（１'）の長手方向に対して垂直方向にそれぞれ設置した事を特徴とする複数人対応型個別指導用学習机から構成される。
【００１９】
又、単独学習机（１'）の配置方向をコの字形状に配置して、それぞれの生徒（ＳＴ）同士が対向するよう単独学習机（１'）の外周位置に着席し、且つ、教師（ＴＥ）は包囲した単独学習机（１'）と単独学習机（１'）の挟間（ＳＰ）に位置する事で、常時、教師（ＴＥ）が複数人の生徒（ＳＴ）に対して、個人指導が出来る態勢を確保するものである。
【００２０】
又、上記複数人対応型個別指導用学習机は図４に示す様に個々の机の左右両端に仕切り板が設置されている為、隣合わせの仕切り板（２）（２）が重複する為、適宜状況に応じて、左右のどちらか一方の仕切り板（２）を取り外して使用しても構わない。
【産業上の利用可能性】
【００２１】
この考案の複数人対応型個別指導用学習机は、限られた省空間でも、圧迫感がなく、周りに気を使うことなく、勉強に集中出来、且つ、教師が複数人の生徒に対して個別指導が迅速に対応出来る事で、多くの個別指導を行う学習塾等の教育関係市場に寄与する為、産業上の利用可能性を有する。
【符号の説明】
【００２２】
１  長尺学習机
１'  単独学習机
２  仕切り板
ＢＣ  死角（生徒）
ＥＬ  視線（教師）
ＳＰ  挟間
ＳＴ  生徒
ＴＥ  教師
【図１】
0003155539.tif 000003
【図２】
0003155539.tif 000004
【図３】
0003155539.tif 000005
【図４】
0003155539.tif 000006